(57)【要約】【課題】カメラ動作に伴う消費電流を必要最小限とする電源供給の制御により通常の火災感知器と同じ信号線への接続を可能とする。【解決手段】スイッチ制御部１０は、電源部９からカメラ部７、Ｓ−ＲＡＭ８（記憶部）及びカメラコントロール部７に対する電源供給を個別にオン、オフ制御する電源スイッチＳＷ１〜ＳＷ３を備える。電源制御部１２は、通常監視時にカメラ部６、カメラコントロール部７及びＳ−ＲＡＭ８に対する電源供給をオフし、撮影時にカメラ部７及びメモリ部８に対する電源供給をオンし、撮影後の画像保持時にＳ−ＲＡＭ８に対する電源供給のオン状態を維持し、受信機に対する画像読出し伝送時にＳ−ＲＡＭ８及びカメラコントロール部６に対する電源供給をオンするように電源スイッチＳＷ１〜ＳＷ３を制御する。【選択図】          図１
2004334391.tif 000002
【特許請求の範囲】
【請求項１】
感知器監視区域を撮影するカメラ部と、
前記カメラ部で撮影された画像データを記憶する記憶部と、
前記カメラ部の撮影動作と前記記憶部に対する画像データの書込みと読出しを制御するカメラコントロール部と、
熱、煙等を検出する検出部と、
前記検出部からの検出信号により火災を判断して受信機に火災信号を送出すると共に、前記カメラコントロール部への撮影指示による前記カメラ部の撮影動作で得られた画像データを前記記憶部に書込み保持させた後に読み出して受信機に伝送する感知器制御部と、
を備えた火災感知器に於いて、
電源部から前記カメラ部、記憶部及びカメラコントロール部に対する電源供給を個別にオン、オフ制御するスイッチ制御部と、
通常監視時に前記カメラ部、カメラコントロール部及び記憶部に対する電源供給をオフし、撮影時に前記カメラ部、カメラコントロール部及び記憶部に対する電源供給をオンし、撮影後の画像保持時に前記記憶部に対する電源供給のオン状態を維持し、前記受信機に対する画像読出し伝送時に前記記憶部及びカメラコントロール部に対する電源供給をオンするように前記スイッチ制御部を制御する電源制御部と、
を設けたことを特徴とする火災感知器。
【請求項２】
請求項１記載の火災感知器に於いて、前記感知器制御部は、通常監視時に前記カメラコントロール部とカメラ部に撮影動作を行わせて通常監視時の画像データを前記記憶部に記憶保持し、火災判断時に通常監視時の画像データを火災判断時の画像データと共に前記記憶部から読出して受信機に伝送し、同一画面上に通常画像と火災画像を並べて表示させることを特徴とする火災感知器。
【請求項３】
請求項１記載の火災感知器に於いて、前記感知器制御部は、通常監視時及びプリアラームの判断時に前記カメラコントロール部とカメラ部に撮影動作を行わせて各画像データを前記記憶部に記憶保持し、火災判断時に通常監視時の画像データ及びプリアラーム判断時の画像データを火災判断時の画像データと共に前記記憶部から読出して受信機に伝送し、同一画面上に通常画像、プリアラーム画像及び火災画像を並べて表示させることを特徴とする火災感知器。
【請求項４】
請求項２又は３記載の火災感知器に於いて、前記感知器制御部は、火災判断後に前記カメラコントロール部とカメラ部に撮影動作を行わせて画像データを前記記憶部に記憶保持した後に読出して受信機に伝送し、同一画面上に現在の火災画像を並べて表示させることを特徴とする火災感知器。
【請求項５】
請求項１記載の火災感知器に於いて、前記感知器制御部は、前記記憶部に火災発生時に必要な所定の管理画像データを予め書込んで保持し、火災判断時に前記管理画像データを前記記憶部から読出し、前記受信機に伝送して表示させることを特徴とする火災感知器。
【請求項６】
請求項１記載の火災感知器に於いて、前記記憶部に保持する管理画像データは、感知器設置区画を含む警戒区域の地図データ、消火栓等の機器の場所を示す地図データ又は避難経路の地図データを含むことを特徴とする火災感知器。
【発明の詳細な説明】
【０００１】
【発明の属する技術分野】
本発明は、熱や煙などを検出して火災を判断する火災感知器に関し、特に監視区域の画像を撮影して受信機に表示させるカメラを一体に備えた火災感知器に関する。
【０００２】
【従来の技術】
従来、この種の火災感知器として、感知器と一体にその下方を撮影するカメラ（撮像装置）を設け、火災を検出した時にカメラにより感知器下方を撮影し、防災センタに撮影した画像を表示させ、この画像を見ながら、その場の状況にあった適切な処置がとれるようにしている。
【０００３】
【特許文献１】
特開平７−１８２５７９号公報
【０００４】
【発明が解決しようとする課題】
しかしながら、このような従来のカメラを一体に備えた火災感知器にあっては、火災を検出した際のカメラの動作による消費電流が大きいため、通常の火災感知器と同じ信号線にカメラを備えた火災感知器を接続することができず、専用の信号線を必要とし、その分、設備構成が複雑化し、コストアップになる問題がある。
【０００５】
また火災感知器は監視区域の天井面に感知器ベースを固定し、この感知器ベースに着脱自在な感知器本体を装着しているが、カメラ付きの火災感知器は専用の信号線を必要とするため、感知器ベースに対し必要に応じてカメラ付きの感知器本体を装着して設置するような使い方ができず、設置場所の自由度が大きく制約されている。
【０００６】
またカメラ付きの火災感知器は、従来、Ｒ型火災報知設備に用いられている伝送回路を使用して撮影した画像データを火災感知器から受信機に伝送することになるが、この場合の火災感知器と受信機間の伝送速度は例えば１２００ｂｐｓと低速であり、画像データの伝送に時間がかかり、その間、火災感知器のカメラを動作状態にしているため、この点も火災感知器の消費電流が大きくなる要因となっている。
【０００７】
本発明は、カメラ動作に伴う消費電流を必要最小限とする電源供給の制御により通常の火災感知器と同じ信号線への接続を可能にしたカメラ付きの火災感知器を提供することを目的とする。
【０００８】
【課題を解決するための手段】
この目的を達成するため本発明は次のように構成する。本発明の火災感知器は、感知器監視区域を撮影するカメラ部と、カメラ部で撮影された画像データを記憶する記憶部と、カメラ部の撮影動作と記憶部に対する画像データの書込みと読出しを制御するカメラコントロール部と、熱、煙等を検出する検出部と、検出部からの検出信号により火災を判断して受信機に火災信号を送出すると共に、カメラコントロール部の撮影指示によるカメラ部の撮影動作で得られた画像データを記憶部に書込み保持させた後に読み出して受信機に伝送する感知器制御部とを備えた火災感知器を対象とする。
【０００９】
このような火災感知器につき本発明にあっては、電源部からカメラ部、記憶部及びカメラコントロール部に対する電源供給を個別にオン、オフ制御するスイッチ制御部と、通常監視時にカメラ部、カメラコントロール部及び記憶部に対する電源供給をオフし、撮影時にカメラ部、カメラコントロール部及びメモリ部に対する電源供給をオンし、撮影後の画像保持時に記憶部に対する電源供給のオン状態を維持し、受信機に対する画像読出し伝送時に記憶部及びカメラコントロール部に対する電源供給をオンするように前記スイッチ制御部を制御する電源制御部とを設けたことを特徴とする。
【００１０】
このような本発明の火災感知器によれば、監視区域の撮影処理に必要なカメラ部、記憶部及びカメラコントロール部という三つの部分に分けて撮影動作の状況により必要な部分にのみ電源を供給するように制御することで、カメラ付きの火災感知器の消費電流を必要最小限に抑え、通常のデータ伝送機能を備えた火災感知器と同じ伝送線への接続を可能とし、専用の伝送線を必要としないことから、設備構成を簡単にしてコストを低減し、また感知器ベースを共通化して感知器本体をカメラ付きとして必要な場所に設置でき、カメラ付き火災感知器の設置の自由度が大幅に向上する。
【００１１】
また受信機とカメラ付き火災感知器の間の伝送速度が遅くとも、撮影した画像を記憶部に書込んで保持し、カメラ部の動作は停止させた状態で記憶部から画像データを読出して受信機に伝送させるため、画像データの伝送に時間がかかっても、その時の消費電流はカメラ付きでない通常の火災感知器とほとんど変わることがない。このため既存のデータ伝送をそのまま使用してカメラ付き火災感知器を備えた防災監視システムが構築できる。
【００１２】
ここで感知器制御部は、通常監視時にカメラコントロール部とカメラ部に撮影動作を行わせて通常監視時の画像データを記憶部に記憶保持し、火災判断時に通常監視時の画像データを火災判断時の画像データと共に記憶部から読出して受信機に伝送し、同一画面上に通常画像と火災画像を並べて表示させる。このように定常時の監視画像と火災画像が並べて表示されることで、火災かどうかの確認が画像を見比べることで、誤ることなく確実にできる。
【００１３】
また感知器制御部は、通常監視時及びプリアラームの判断時にカメラコントロール部とカメラ部に撮影動作を行わせて各画像データを記憶部に記憶保持し、火災判断時に通常監視時の画像データ及びプリアラーム判断時の画像データを火災判断時の画像データと共に記憶部から読出して受信機に伝送し、同一画面上に通常画像、プリアラーム画像及び火災画像を並べて表示させる。このように定常時の監視画像と火災画像に加えプリアラーム時の画像が並べて表示されることで、火災かどうかの確認が画像を見比べることで、より確実にできる。
【００１４】
また感知器制御部は、火災判断後にカメラコントロール部とカメラ部に撮影動作を行わせて画像データを記憶部に記憶保持した後に読出して受信機に伝送し、同一画面上に現在の火災画像を並べて表示させる。これにより火災を判断した後の火災現場の画像がリアルタイムで更新表示され、火災の推移を正確に把握して適切な措置をとることができる。
【００１５】
また感知器制御部は、記憶部に火災発生時に必要な所定の管理画像データを予め書込んで保持し、火災判断時に管理画像データを記憶部から読出し、受信機に伝送して表示させる。この場合に記憶部に保持する管理画像データとしては、感知器設置区画を含む警戒区域の地図データ、消火栓等の機器の場所を示す地図データ又は避難経路の地図データを含む。
【００１６】
このようにカメラ付き火災感知器の画像データを記憶保持する記憶部を利用して火災発生時に必要な地図等の画像データを火災感知器そのものに記憶させておくことで、管理画像データを受信機側で保持して管理する必要がなくなり、受信機側での画像データの管理と活用が容易になる。
【００１７】
【発明の実施の形態】
図１は本発明によるカメラ付き火災感知器の実施形態を示したブロック図である。図１において、火災感知器１は、伝送部２、ＣＰＵ３、火災検出回路４、火災検出素子５、カメラ部６、カメラコントロール部７、記憶部として機能するＳ−ＲＡＭ８、電源部９及びスイッチ制御部１０で構成されている。
【００１８】
伝送部２は伝送線Ｓとコモン線Ｃにより受信機に接続され、また電源部９は電源線Ｖにより受信機と接続されており、電源部９のコモン線は伝送部２のコモン線Ｃと共通である。伝送部２は受信機との間で、例えば１２００ｂｐｓの伝送速度によりデータ伝送を行う。
【００１９】
この場合のデータ伝送は、受信機から火災感知器１に対する下り信号については電圧信号の変化となる電圧モードで伝送し、火災感知器１から受信機に対する伝送は電流信号の変化による電流モードで伝送する。
【００２０】
ＣＰＵ３には、プログラム制御により実現される感知器制御部１１の機能と、撮影時の電源制御を行う電源制御部１２が設けられる。ＣＰＵ３に対しては火災検出素子５による熱や煙などの検出信号が火災検出回路４を介して入力されている。火災検出素子５としては、熱を検出する場合はサーミスタや半導体熱センサなどであり、煙を検出する場合には発光部と受光部を備え、発光部からの煙による受光信号となる。
【００２１】
カメラ部６は、天井面に設置される感知器ベースに対し着脱自在な感知器本体に、下方の監視区域を視野として設置されている。カメラ部６の構成としては、レンズ、ＣＣＤなどの撮像素子、及び照明ランプを備えている。カメラ部６のレンズとしては、火災感知器を設置している天井面から見て警戒区域が全て視野に入るような例えば広角レンズを使用する。また撮像素子としては、ＣＣＤ以外に赤外線センサを用いることができる。赤外線センサの撮像素子によれば、火災による煙が充満していても火源や人の動きを画像データとして検出できる。
【００２２】
カメラコントロール部７は、カメラ部６の撮影動作と、この撮影動作により得られた画像データのＳ−ＲＡＭ８に対する書込み、及び書込み後のＳ−ＲＡＭ８からの画像データの読出しを制御する。この場合のカメラコントロール部７の制御はＣＰＵ３からの指示に基づいて行われる。
【００２３】
記憶部として機能するＳ−ＲＡＭ８は揮発性のメモリであり、カメラ部６で撮影された画像データを書き込んで記憶保持する。Ｓ−ＲＡＭ８の容量としては、例えばこの実施形態にあっては、定常時、プリアラーム時、火災判断時、更に火災判断後の画像の少なくとも４枚を撮影して保持することから、最小で画像データ４枚分の記憶容量を必要とする。
【００２４】
また本発明の実施形態にあっては、Ｓ−ＲＡＭ８に、火災時に受信機側で表示させる警戒区域の地図データ、消火栓などの機器の場所を示す地図データ、あるいは避難経路の地図データなどの管理画像データを予め記憶することができ、その場合にはこれらの管理画像データを含めたメモリ容量を確保しておく。
【００２５】
スイッチ制御部１０には３つの電源スイッチＳＷ１，ＳＷ２，ＳＷ３が設けられている。電源スイッチＳＷ１はカメラ部６に対する電源供給をオンオフする。電源スイッチＳＷ２はカメラコントロール部７に対する電源供給をオンオフする。更に電源スイッチＳＷ３はＳ−ＲＡＭ８に対する電源供給をオンオフする。
【００２６】
これらスイッチ制御部１０の電源スイッチＳＷ１〜ＳＷ３により供給される電源は電源部９から供給されており、電源部９に対する電源は受信機からの電源線Ｖから供給された電源電圧を規定電圧に変換している。
【００２７】
ＣＰＵ３に設けた感知器制御部１１は、火災検出回路４からの検出信号により火災を判断して伝送部２より受信機に火災信号を送出すると共に、カメラコントロール部７に対する撮影指示によってカメラ部６を動作し、カメラ部６の撮影動作で得られた画像データをＳ−ＲＡＭ８に書込み保持させた後に、記憶した画像データを読み出して、伝送部２より受信機に伝送する。
【００２８】
電源制御部１２は、スイッチ制御部１０の電源スイッチＳＷ１〜ＳＷ３のオンオフ制御により次のようにして、カメラ部６、カメラコントロール部７、及びＳ−ＲＡＭ８に対する電源供給を制御する。
【００２９】
（１）通常監視時は電源スイッチＳＷ１〜ＳＷ３の全てをオフとし、カメラ部６、カメラコントロール部７、及びＳ−ＲＡＭ８に対する電源供給を停止して非動作状態とする。
【００３０】
（２）撮影時は電源スイッチＳＷ１〜ＳＷ３の全てをオンし、カメラ部６、カメラコントロール部７、及びＳ−ＲＡＭ８の全てに電源を供給し、カメラ部６の撮影動作と、この撮影動作で得られた画像データのＳ−ＲＡＭ８への書込みを行わせる。
【００３１】
（３）撮影後の画像保持時は、電源スイッチＳＷ１，ＳＷ２をオフすることでカメラ部６及びカメラコントロール部７に対する電源供給を停止し、電源スイッチＳＷ３のみをオンし、Ｓ−ＲＡＭ８に対する電源供給で書き込んだ画像データを保持する。
【００３２】
（４）受信機に対する画像データの読出し伝送時は、電源スイッチＳＷ１をオフ、電源スイッチＳＷ２，ＳＷ３をオンとし、カメラ部６に対する電源供給は停止するが、カメラコントロール部７とＳ−ＲＡＭ８に対する電源供給を行って、Ｓ−ＲＡＭ８に記憶保持している画像データをカメラコントロール部７で読み出し、ＣＰＵ３及び伝送部２を介して受信機に伝送する。
【００３３】
このようなＣＰＵ３の電源制御部１２によるスイッチ制御部１０の制御は、図２のスイッチ制御リストにまとめて示すようになる。この図２のスイッチ制御リストから明らかなように、火災感知器１の消費電流が最も大きくなるのは電源スイッチＳＷ１〜ＳＷ３の全てがオンする撮影時であり、続いて消費電流が大きいのが電源スイッチＳＷ２，ＳＷ３の２つがオンする画像読出し時であり、３番目はＳ−ＲＡＭ８に画像データを保持する画像保持時の電源スイッチＳＷ３のみがオンする場合である。また通常監視時にあっては電源スイッチＳＷ１〜ＳＷ３は全てオフであり、これはカメラを持たない通常の火災感知器の消費電流と同じになる。
【００３４】
ここで、火災感知器１の消費電流が最も大きくなる撮影時にあっては、カメラ部６の撮影動作時間と撮影された画像データのＳ−ＲＡＭ８に対する書込時間の合計時間に亘り最も大きな消費電流が流れるが、このような撮影動作と撮影データの書込時間は長くとも２００〜３００ミリ秒程度の短い時間であり、火災感知器が発報したときの消費電流とそれほど差がなく、本発明のカメラ付きの火災感知器１は通常のカメラ付きでない火災感知器と同等に同じ伝送路に接続することができる。
【００３５】
図３は図１のカメラ付き火災感知器における感知器制御処理のフローチャートであり、この制御処理にあっては、プリアラーム判断を行った後に火災判断を行うようにした場合を例にとっている。またカメラ付き火災感知器で撮影する画像としては、通常監視時の画像、プリアラーム判断時の画像、火災判断時の画像、更に火災判断後の現在の火災画像の４つを撮影して火災受信機側に伝送する場合を例にとっている。
【００３６】
図３において、図１のカメラ付きの火災感知器１を備えた防災監視システムの受信機側で電源投入が行われると、ステップＳ１で初期化処理が行われる。初期化処理が済むと、ステップＳ２で通常監視画像の撮像処理を行う。この通常監視画像の撮像処理は図４の撮像処理のサブルーチンの手順に従って行われる。
【００３７】
即ち、図４のステップＳ１で電源スイッチＳＷ１〜ＳＷ３を全てオンし、カメラ部６、カメラコントロール部７、更にＳ−ＲＡＭ８の全てに電源を供給した状態で、ステップＳ３でカメラの撮影動作を行う。この撮影動作により得られた画像データは、ステップＳ２でＳ−ＲＡＭ８に書込み記憶される。
【００３８】
最後にステップＳ４で電源スイッチＳＷ１，ＳＷ２をオフし、電源スイッチＳＷ３はオンし、Ｓ−ＲＡＭ８に対する電源供給のみを維持し、このとき撮影した通常監視時の画像データの記憶状態を保持する。
【００３９】
再び図３を参照するに、ステップＳ２で通常監視画像の撮影処理が済むと、ステップＳ３で火災監視を行う。この火災監視において、ステップＳ４で検出信号が所定のプリアラームレベルを超えると、プリアラームが判断され、ステップＳ５でプリアラーム画像の撮像処理が行われる。この撮像処理もステップＳ４のサブルーチンに従って行われる。
【００４０】
続いてステップＳ６で、検出信号が所定の火災レベルに達したか否かで火災を判断している。火災が判断されると、ステップＳ７で火災画像の撮像処理が図４の撮像処理のサブルーチンに従って行われる。またステップＳ６で火災判断が行われると、受信機側に対し火災信号が伝送され、受信機において火災警報表示が行われる。この実施形態にあっては、火災警報表示を行った受信機側は火災感知器に対し画像伝送要求を行う。
【００４１】
このため図３のステップＳ８で受信機からの画像伝送要求を判別すると、ステップＳ９に進み、記憶画像の伝送処理を行う。この場合の記憶画像の伝送処理は、図２の画像読出し時のように電源スイッチＳＷ１はオフ、電源スイッチＳＷ２，ＳＷ３をオンとした状態で、Ｓ−ＲＡＭ８からステップＳ２で撮影した通常監視画像、ステップＳ５で撮像したプリアラーム画像、更にステップＳ７で撮像した火災画像の３つの画像データを読み出して受信機に伝送する。
【００４２】
続いてステップＳ１０で火災復旧を監視しており、火災復旧がなければ、ステップＳ１１で現在画像の撮像処理を図４のサブルーチンの撮像処理に従って行う。このステップＳ１１で撮像された現在画像は、ステップＳ８に戻って受信機からの画像伝送要求を受けると、ステップＳ９で読み出されて受信機に伝送され、これによって受信機側にあっては、最初の火災判断で伝送された通常監視画像、プリアラーム画像、火災画像に加え、現在の火災画像をリアルタイムで表示することになる。
【００４３】
図５は、図３の感知器制御処理でカメラ付きの火災感知器から火災受信機側に送られた画像の画面表示の説明図である。図５において、受信機側の表示画面１３には、通常時画像１４、プリアラーム画像１５、火災画像１６、更に火災現在画像１７が並べて表示される。
【００４４】
したがって、受信機側のオペレータにあっては、表示画面１３に並べて表示されたこれらの画像を見比べることで、表示画像から実火災が発生していることを直ちに確認できる。特に、表示画面１３には通常時画像１４が表示され、これに対しプリアラーム画像１５や火災画像１６を比較すると、この例では室内のゴミ容器１８から煙が出て火災が拡大している様子が直ちに分かり、発報した火災感知器の現場に出向くことなく、表示画面の撮影された画像データから火災発生を直ちに確認して必要な措置をとることができる。更に、火災現在画像１７によって火災判断後の現場の様子をリアルタイムで見ることができる。
【００４５】
また表示画面１３の画像として、図１のＳ−ＲＡＭ８に感知器設置区画を含む警戒区域の地図データ、消火栓などの機器の場所を示す地図データ、あるいは避難経路の地図データを予め記憶しておくことで、受信機側からの呼出要求により、これらの地図データを含む管理画像データを発報したカメラ付きの火災感知器から読み出して伝送させることで受信機側に地図データを表示させて、火災発生に伴う必要な措置を地図データを見ながら迅速且つ適切にとることができる。
【００４６】
なお上記の実施形態にあっては、通常監視画像を撮影して記憶保持しておくことで火災時に火災画像と並べて表示するようにした場合を例にとるものであったが、通常監視画像を撮影せずに火災画像のみを撮影して表示させるようにしてもよいことはもちろんである。また上記の実施形態はプリアラーム画像を表示させる場合を例にとっているが、プリアラーム画像を撮影せずに直接、火災画像を撮影して表示させるようにしてもよい。
【００４７】
また上記の実施形態は火災発生時の撮影処理を例にとるものであったが、カメラ付きの火災感知器で障害を検出した場合にも同様に撮影動作を行い、障害発生を受信機に送出して受信機から画像伝送要求を受けた際に、障害発生時に撮影した画像データを伝送して受信機側で表示させ、これによって非火災であることを確認し、感知器の障害による異常であることを確認させることができる。
【００４８】
また障害発生時については、障害発生後に撮影動作を一定の時間間隔で行って受信機側に伝送し、これによって火災感知器が障害で機能していなくとも、撮影画像によって障害を発生した区画の状態を受信機側で監視し、万一火災が発生した場合には障害発生時の画像表示から火災を発見することができる。
【００４９】
更に上記の実施形態にあっては、画像データの記憶部として揮発性のＳ−ＲＡＭを使用した場合を例にとっているが、記憶部としては不揮発性メモリを使用することも可能である。この場合には図２のスイッチ制御リストにおける画像保持時の電源スイッチＳＷ３はオフとすればよい。
【００５０】
【発明の効果】
以上説明してきたように本発明によれば、カメラ付きの火災感知器について監視区域の撮影処理に必要な部分をカメラ部、記憶部及びカメラコントロール部という３つの部分に分け、撮影動作の状況により必要な部分にのみ電源を供給するように制御することで、カメラ付きの火災感知器の消費電流を必要最小限に抑え、通常のカメラ付きでない火災感知器と同じ伝送線への接続を可能とし、専用の伝送線を必要としないことから、異常監視設備の構成を簡単にしてコストを低減し、またカメラ付きの感知器本体に対し感知器ベースを通常の火災感知器と共通化できることで、感知器本体を任意の感知器ベースの位置に必要に応じて設置することができ、カメラ付き火災感知器の設置の自由度が大幅に向上する。
【００５１】
更に、受信機とカメラ付きの火災感知器の間の伝送速度が遅くとも、撮影した画像データを記憶部に書き込んで保持し、カメラ部の動作を停止させた状態で記憶部から画像データを読み出して受信機に伝送するため、画像データの伝送に時間がかかっても、そのときの消費電流はカメラ部が動作していないことから、カメラ付きでない通常の火災感知器とほとんど変わることがなく、このため既存のデータ伝送をそのまま使用して、カメラ付き火災感知器を設けた防災監視システムを容易に構築することができる。
【図面の簡単な説明】
【図１】本発明の実施形態を示した火災感知器のブロック図
【図２】図１の電源スイッチの制御リストの説明図
【図３】図１の感知器制御処理のフローチャート
【図４】図３における撮像処理のフローチャート
【図５】本発明の火災感知器で撮像された画像の画面表示の説明図
【符号の説明】
１：火災感知器
２：伝送部
３：ＣＰＵ
４：火災検出回路
５：火災検出素子
６：カメラ部
７：カメラコントロール部
８：Ｓ−ＲＡＭ
９：電源部
１０：スイッチ制御部
１１：感知器制御部
１２：電源制御部
１３：表示画面
１４：通常時画像
１５：プリアラーム画像
１６：火災画像
１７：火災現在画像
【図１】
2004334391.tif 000003
【図２】
2004334391.tif 000004
【図３】
2004334391.tif 000005
【図４】
2004334391.tif 000006
【図５】
2004334391.tif 000007